(57)【要約】  電子システムであって、位相状態を変化するとき前記システムが全体として挿入損失変化を僅かしか又は全く示さない、デジタル方式で選択可能位相シフタ回路及び挿入損失微調整回路、及び／又は、減衰状態を変化するとき前記システムが全体として位相への影響を僅かしか又は全く示さない、デジタル方式で選択可能減衰器回路及び位相微調整回路、を含む電子システム。該回路のために調整制御ワードを選択する方法が含まれる。
2018520586.tif 000002
【特許請求の範囲】
【請求項１】
無線周波数電子回路であって、
（ａ）適用位相状態デジタル制御ワードに応答して、適用無線周波数信号の位相を変更する位相シフタ回路と、
（ｂ）前記位相シフタ回路に直列接続された微調整回路であって、前記微調整回路は、前記適用位相状態デジタル制御ワードにより選択された位相状態の間の挿入損失変動を実質的に等化するために前記適用位相状態デジタル制御ワードに応じて前記位相の変更された適用無線周波数信号の選択可能な減衰を提供する複数の選択可能減衰器回路を含む、微調整回路と、
を含む無線周波数電子回路。
【請求項２】
前記複数の選択可能減衰器回路の前記減衰は、前記微調整回路に適用される調整デジタル制御ワードにより選択される、請求項１に記載の無線周波数電子回路。
【請求項３】
前記微調整回路に結合され、前記微調整回路に調整デジタル制御ワードを適用する調整制御回路、を更に含む請求項２に記載の無線周波数電子回路。
【請求項４】
前記調整制御回路は、前記適用位相状態デジタル制御ワードを少なくとも１つの調整デジタル制御ワードセットにマッピングするルックアップテーブルを含む、請求項３に記載の無線周波数電子回路。
【請求項５】
前記調整制御回路は、外部ソースの調整デジタル制御ワードに結合され、前記ルックアップテーブル又は前記外部ソースの調整デジタル制御ワードのうちの１つから調整デジタル制御ワードを前記微調整回路に選択的に適用するマルチプレクサを更に含む、請求項４に記載の無線周波数電子回路。
【請求項６】
前記適用位相状態デジタル制御ワードにより選択された位相状態の間の挿入損失変動を実質的に等化するために選択可能な減衰を提供することは、より粗悪な挿入損失を有する位相状態に適用される減衰レベルより大きな減衰レベルをより良好な挿入損失を有する位相状態に適用することを含む、請求項１に記載の無線周波数電子回路。
【請求項７】
前記複数の選択可能減衰器回路により提供される前記減衰のステップサイズは、約０．５ｄＢより少ない、請求項１に記載の無線周波数電子回路。
【請求項８】
前記複数の選択可能減衰器回路は直列接続される、請求項１に記載の無線周波数電子回路。
【請求項９】
デジタル制御される無線周波数電子回路であって、
（ａ）適用減衰状態デジタル制御ワードに応答して、適用無線周波数信号を選択的に減衰する減衰器回路と、
（ｂ）前記減衰器回路に直列接続された微調整回路であって、前記微調整回路は、前記適用減衰状態デジタル制御ワードにより選択された減衰状態の間の位相変動を実質的に等化するために前記適用減衰状態デジタル制御ワードに応じて前記減衰された適用無線周波数信号の選択可能な位相シフト調整を提供する複数の選択可能位相シフタ回路を含む、微調整回路と、
を含む無線周波数電子回路。
【請求項１０】
前記複数の選択可能位相シフタ回路の前記位相シフト調整は、前記微調整回路に適用される調整デジタル制御ワードにより選択される、請求項９に記載の無線周波数電子回路。
【請求項１１】
前記微調整回路に結合され、前記微調整回路に調整デジタル制御ワードを適用する調整制御回路、を更に含む請求項１０に記載の無線周波数電子回路。
【請求項１２】
前記調整制御回路は、前記減衰状態デジタル制御ワードを少なくとも１つの調整デジタル制御ワードセットにマッピングするルックアップテーブルを含む、請求項１１に記載の無線周波数電子回路。
【請求項１３】
前記調整制御回路は、外部ソースの調整デジタル制御ワードに結合され、前記ルックアップテーブル又は前記外部ソースの調整デジタル制御ワードのうちの１つから調整デジタル制御ワードを前記微調整回路に選択的に適用するマルチプレクサを更に含む、請求項１２に記載の無線周波数電子回路。
【請求項１４】
前記複数の選択可能位相シフタ回路により提供される位相シフトのステップサイズは、約２．５度位相以下である、請求項９に記載の無線周波数電子回路。
【請求項１５】
前記適用位相状態デジタル制御ワードにより選択された位相状態の間の挿入損失変動を実質的に等化するために減衰を提供することは、より粗悪な挿入損失を有する位相状態に適用される減衰レベルより大きな減衰レベルをより良好な挿入損失を有する位相状態に適用することを含む、請求項９に記載の無線周波数電子回路。
【請求項１６】
前記複数の選択可能減衰器回路により提供される前記減衰のステップサイズは、約０．５ｄＢより少ない、請求項１５に記載の無線周波数電子回路。
【請求項１７】
適用無線周波数を変更する電子回路であって、
（ａ）（１）適用位相状態デジタル制御ワードに応答して適用無線周波数信号の位相を変更する位相シフタ回路、及び（２）適用減衰状態デジタル制御ワードに応答して前記適用無線周波数信号を選択的に減衰する減衰器回路、のうちの少なくとも１つと、
（ｂ）前記位相シフタ回路及び前記減衰器回路のうちの少なくとも１つに直列接続された微調整回路であって、前記微調整回路は、（１）前記適用位相状態デジタル制御ワードにより選択された位相状態の間の挿入損失変動を実質的に等化するために、前記適用位相状態デジタル制御ワードに応じて前記位相の変更された適用無線周波数信号の選択可能な減衰調整を提供する複数の選択可能調整減衰器回路、及び（２）前記適用減衰状態デジタル制御ワードにより選択された減衰状態の間の位相変動を実質的に等化するために、前記適用減衰状態デジタル制御ワードに応じて前記減衰された適用無線周波数信号の選択可能な位相シフト調整を提供する複数の選択可能調整位相シフタ回路、のうちの少なくとも１つを有する、微調整回路と、
を含む電子回路。
【請求項１８】
前記微調整回路により提供される前記選択可能な減衰調整又は選択可能な位相シフト調整は、前記微調整回路に適用される調整デジタル制御ワードにより選択される、請求項１７に記載の電子回路。
【請求項１９】
前記微調整回路に結合され、前記微調整回路に調整デジタル制御ワードを適用する調整制御回路、を更に含む請求項１８に記載の電子回路。
【請求項２０】
前記調整制御回路は、前記適用位相状態デジタル制御ワード又は前記適用減衰状態デジタル制御ワードのうちの少なくとも１つを少なくとも１つの調整デジタル制御ワードセットにマッピングするルックアップテーブルを含む、請求項１９に記載の電子回路。
【請求項２１】
前記調整制御回路は、外部ソースの調整デジタル制御ワードに結合され、前記ルックアップテーブル又は前記外部ソースの調整デジタル制御ワードのうちの１つから調整デジタル制御ワードを前記微調整回路に選択的に適用するマルチプレクサを更に含む、請求項２０に記載の電子回路。
【請求項２２】
前記適用位相状態デジタル制御ワードにより選択された位相状態の間の挿入損失変動を実質的に等化するために選択可能な減衰調整を提供することは、より粗悪な挿入損失を有する位相状態に適用される減衰レベルより大きな減衰レベルをより良好な挿入損失を有する位相状態に適用することを含む、請求項１７に記載の電子回路。
【請求項２３】
前記複数の選択可能調整減衰器回路により提供される前記減衰のステップサイズは、約０．５ｄＢより少ない、請求項１７に記載の電子回路。
【請求項２４】
前記複数の選択可能調整位相シフタ回路により提供される位相シフトのステップサイズは、約２．５度位相以下である、請求項１７に記載の電子回路。
【請求項２５】
適用無線周波数信号の位相を変更する方法であって、
（ａ）適用位相状態デジタル制御ワードに応答して、前記適用無線周波数信号の前記位相を変更するステップと、
（ｂ）前記適用位相状態デジタル制御ワードにより選択される位相状態の間の挿入損失変動を実質的に等化するために、前記適用位相状態デジタル制御ワードに応じて、複数の選択可能減衰器回路により、前記変更された無線周波数信号を選択的に減衰するステップと、
を含む方法。
【請求項２６】
選択可能位相シフタ回路において位相状態が変化するとき、挿入損失変動を補償する方法であって、全ての位相状態に渡り挿入損失を実質的に等化するために、より良好な挿入損失を有する位相状態がより粗悪な挿入損失を有する位相状態より多く減衰されるように、各々の位相状態について該位相状態に応じて、複数の選択可能減衰器回路により減衰量を選択し適用するステップ、を含む方法。
【請求項２７】
調整デジタル制御ワードを適用することにより前記減衰量を選択するステップ、を更に含む請求項２６に記載の方法。
【請求項２８】
位相状態を調整デジタル制御ワードにマッピングするルックアップテーブルに、選択された調整デジタル制御ワードを格納するステップ、を更に含む請求項２７に記載の方法。
【請求項２９】
調整デジタル制御ワードに対応する減衰レベルを前記選択可能位相シフタ回路の前記挿入損失と位相状態毎に実験的に比較することにより、格納するための調整デジタル制御ワードを選択し、所望の挿入損失レベルを最も良好に達成する位相状態毎の調整制御ワードを格納するステップ、
を更に含む請求項２８に記載の方法。
【請求項３０】
減衰レベルを比較するステップは、バイナリ検索パターンで、調整デジタル制御ワードに対応する減衰レベルを適用するステップを含む、請求項２９に記載の方法。
【請求項３１】
前記ルックアップテーブルからのマッピングされた調整デジタル制御ワード又は外部供給される調整デジタル制御ワードを、前記の適用される調整デジタル制御ワードとして選択的に出力するステップ、を更に含む請求項２８に記載の方法。
【請求項３２】
全ての位相状態に基本減衰レベルを適用し、調整前位相状態挿入損失を調整後挿入損失に目標値に近付けるために、位相状態毎に調整減衰量を選択するステップ、を更に含む請求項２６に記載の方法。
【請求項３３】
選択可能減衰器回路において減衰状態が変化するとき、位相変動を補償する方法であって、全ての減衰状態に渡り位相を実質的に等化するために、減衰状態毎に該減衰状態に応じて、調整デジタル制御ワードを適用することにより、複数の選択可能位相シフタ回路により、位相シフト量を選択し調整するステップ、を含む方法。
【請求項３４】
減衰状態を調整デジタル制御ワードにマッピングするルックアップテーブルに、選択された調整デジタル制御ワードを格納するステップ、を更に含む請求項３３に記載の方法。
【請求項３５】
調整デジタル制御ワードに対応する位相シフト度合いを前記選択可能減衰器回路の位相シフトと減衰状態毎に実験的に比較することにより、格納するための調整デジタル制御ワードを選択し、所望の位相度合いを最も良好に達成する減衰状態毎の調整制御ワードを格納するステップ、
を更に含む請求項３４に記載の方法。
【請求項３６】
位相度合いを比較するステップは、バイナリ検索パターンで、調整デジタル制御ワードに対応する位相シフト度合いを適用するステップを含む、請求項３５に記載の方法。
【請求項３７】
前記ルックアップテーブルからのマッピングされた調整デジタル制御ワード又は外部供給される調整デジタル制御ワードを、前記の適用される調整デジタル制御ワードとして選択的に出力するステップ、を更に含む請求項３４に記載の方法。
【請求項３８】
（ｃ）前記微調整回路に結合され、適用減衰状態デジタル制御ワードに応答して、前記適用無線周波数信号を選択的に減衰する減衰器回路、
を更に含む請求項１に記載の無線周波数電子回路。
【請求項３９】
（ｃ）前記微調整回路に結合され、適用位相状態デジタル制御ワードに応答して、前記適用無線周波数信号の位相を変更する位相シフタ回路、
を更に含む請求項９に記載の無線周波数電子回路。
【発明の詳細な説明】
【技術分野】
【０００１】
［関連出願の参照］
本願は、参照されることによりその全体が本願明細書に組み込まれる米国特許出願番号１４／７５２,３５３、２０１５年６月２６日出願の優先権を主張する。
【０００２】
［技術分野］
本発明は、電子回路に関し、特に、デジタル方式で選択可能な位相シフタ及び／又はデジタル方式で選択可能減衰器回路に関する。
【背景技術】
【０００３】
電子位相シフタ回路は、信号の送信位相角を変化させるために使用され、無線周波数（ＲＦ）信号を位相シフトさせるために一般的に使用される。近年の位相シフタ回路は、デジタル方式で制御され、したがってバイナリ制御ワードにより選択される位相状態の離散的セットを提供する。幾つかの位相シフタ回路は、バイナリ制御ワードにより選択される減衰状態の離散的セットを提供するデジタル方式で制御されるＲＦ信号減衰器回路も含む。
【０００４】
図１は、選択可能減衰器回路１０４と入力／出力インタフェース１０６とに結合される選択可能位相シフタ回路１０２を含む従来技術の電子システム１００のブロック図である。選択可能位相シフタ回路１０２及び選択可能減衰器回路１０４は、ＲＦ入力信号ＲＦ＿Ｉｎを変更して、ＲＦ出力信号ＲＦ＿Ｏｕｔを生成する。図示の実施形態は、例えば、レーダシステム、フェーズドアレイアンテナシステム、及びセルラ無線送信機及び受信機において有用であり得る。
【０００５】
入力／出力インタフェース１０６は、知られている方法で個々の回路にデジタル制御ワードを適用することにより、位相シフタ回路１０２における特定位相状態及び減衰器回路１０４における減衰状態のユーザ選択を可能にする。一例として、位相のための５ビット制御ワードは、選択可能位相シフタ回路１０２のために３２個の位相状態のうちの１つを選択して良く、減衰のための４ビット制御ワードは、選択可能減衰器回路１０４のために１６個の減衰状態のうちの１つを選択して良い。同様の回路の商用例は、Peregrine  Semiconductor  CorporationのＰＥ４６１２０モノリシック位相及び振幅コントローラ製品である。
【０００６】
理想的な位相シフタ回路は、全ての位相状態において低挿入損失及び等しい振幅（又は損失）を提供する。理想的な位相シフタ回路は、また、挿入損失に対する影響を伴わずに入力信号の位相のみを変更して、減衰と独立に動作すべきである。しかしながら、実際の位相シフタ回路は、選択された位相状態に依存する、固有の望ましくない挿入損失変動を有する。例えば、図２は、挿入損失変動（単位ｄＢ、約−５．８ｄＢの目標値に対して測定され、点線２００により示される）を位相選択状態選択の関数として（各状態は破線２０２上の点により示される）示すデジタル位相シフタ回路の１つのシミュレーションのグラフである。挿入損失変動は、異なる位相シフト回路コンポーネントが信号経路の中に又は外に切り換えられるときの位相シフタ回路内の内部コンポーネント及び経路差、並びに、バイナリコンポーネント間のインピーダンス差及び／又はＲＦ信号の集約経路内のインピーダンス変化に起因する。
【０００７】
同様に、理想的な減衰器回路は、位相に対する影響を伴わずに入力信号の減衰のみを変更して、位相シフトと独立に動作すべきである。しかしながら、実際の減衰器回路は、選択された減衰状態に依存する望ましくない位相変動を生じることがある。
【０００８】
上述の問題は、状態選択ビット及び対応する内部相互作用の数が増大すると、特に深刻になる。
【０００９】
したがって、位相状態を変化するとき、挿入損失に対する影響を僅かしか又は全く示さない位相シフタ回路、及び該回路の位相状態を較正し及び選択する方法が必要である。また、位相状態を変化するとき、位相に対する影響を僅かしか又は全く示さない減衰器回路、及び該回路の減衰状態を較正し及び選択する方法が必要である。本発明は、これらの必要を解決する。
【発明の概要】
【００１０】
本発明は、デジタル方式で選択可能な位相シフタ回路及び挿入損失微調整回路を含む電子システムであって、該システムは全体として、位相状態を変化するとき挿入損失変動を僅かしか又は全く示さない、電子システム、並びに、そのようなシステムの位相状態を較正し及び選択する方法、を有する。本発明は、デジタル方式で選択可能な減衰器回路及び位相微調整回路を含む電子システムであって、該システムは全体として、減衰状態を変化するとき位相に対する影響を僅かしか又は全く示さない、電子システム、並びに、そのようなシステムの減衰状態を較正し及び選択する方法、を更に有する。本発明の範囲には、デジタル方式で選択可能な位相シフタ回路、デジタル方式で選択可能な減衰器回路、及びこれらの回路のいずれか又は両者に選択可能状態変化安定性を提供する微調整回路、も含まれる。
【００１１】
特に、デジタル方式で選択可能な位相シフタ回路を含む電子システム内の挿入損失変動を最小化するために、小さな選択可能な減衰器が、位相シフタ回路に結合される。選択された位相状態の間の挿入損失変動は、全ての位相状態に渡り挿入損失を実質的に等化するためにより良好な挿入損失を有する位相状態に小さな損失（減衰レベル）を選択的に追加することにより、最小化される。任意で、「負」減衰レベルを利用可能にするために、バイアスが全ての位相状態に適用されて良い。それにより、調整前位相状態挿入損失を調整後挿入損失目標値の近くに移動させるために、必要に応じて可変減衰量を可能にする。
【００１２】
同様に、デジタル方式で選択可能な減衰器回路を含む電子システム内の位相変動を最小化するために、小さな選択可能な位相シフタが、減衰器回路に結合される。選択された減衰状態の間の位相変動は、全ての減衰状態に渡り位相を実質的に等化するために、位相シフトを示す減衰状態に小さな位相調整を選択的に追加することにより最小化される。
【００１３】
較正処理は、各位相及び／又は減衰状態を、所望の補償減衰又は位相レベル（幾つかの場合にはゼロであって良い）にマッピングする。微調整回路の補償位相及び減衰設定は、該設定を対応する位相状態又は減衰状態制御ワードにマッピングされた固定値として符号化するルックアップテーブル（例えば、読み出し専用メモリ、又は設定可能スイッチ若しくはフューズ、又はハードコード金属層）に格納されて良い。さらに、本発明の幾つかの実施形態は、微調整回路により生成される調整レベルをユーザにより選択可能にプログラムできるようにする。
【００１４】
本発明の１又は複数の実施形態の詳細は、添付の図面及び以下の説明で説明される。本発明の他の特徴、態様及び利点は、説明、図面及び請求の範囲から明らかになる。
【図面の簡単な説明】
【００１５】
【図１】選択可能減衰器回路と入力／出力インタフェースブロックとに結合される選択可能位相シフタ回路を含む従来技術の電子システムのブロック図である。
【図２】位相状態選択に応じた挿入損失変動を示す位相シフタ回路の１つのシミュレーションのグラフである。
【図３】本発明の位相状態調整実施形態を示すブロック図である。
【図４Ａ】微調整回路の一実施形態のブロック図である。
【図４Ｂ】調整段としての使用に適する「Ｌ−ｐａｄ」減衰器回路の概略図である。
【図４Ｃ】調整段としての使用に適するシャントスイッチ抵抗減衰器回路の概略図である。
【図５】調整制御回路の一実施形態のブロック図である。
【図６】位相状態選択に応じた挿入損失変動を示す位相シフタ回路の１つのシミュレーションの第１グラフ（調整前）、及び選択した減衰量が適用された後の位相状態選択に応じた挿入損失の第２グラフ（調整後）を示す。
【図７Ａ】挿入損失を等化するために必要な位相状態当たりの補償の程度を示す、位相状態選択及び頻度に応じた、調整前の減衰変動を示す位相シフタ回路の特定のシミュレーションのグラフセットである。
【図７Ｂ】挿入損失を等化するために適用される位相状態当たりの補償の程度を示す、位相状態選択及び頻度に応じた、調整後の減衰変動を示す、図７Ａと同じ位相シフタ回路のシミュレーションのグラフセットである。
【図８】本発明のより一般的な位相及び減衰調整実施形態を示すブロック図である。  種々の図面を通じて同様の参照符号及び記号は同様の要素を示す。
【発明を実施するための形態】
【００１６】
本発明は、デジタル方式で選択可能位相シフタ回路及び挿入損失微調整回路を含む電子システムであって、該システムは全体として、位相状態を変化するとき挿入損失に対する影響を僅かしか又は全く示さない、電子システム、並びに、そのようなシステムの位相状態を較正し及び選択する方法、を有する。
【００１７】
本発明は、減衰器回路及び位相微調整回路を含む電子システムであって、該システムは全体として、減衰状態を変化するとき位相に対する影響を僅かしか又は全く示さない、電子システム、並びに、そのようなシステムの減衰状態を較正し及び選択する方法、を更に有する。
【００１８】
特に、デジタル方式で選択可能位相シフタ回路を含む電子システム内の挿入損失変動を最小化するために、小さな選択可能な減衰器が、位相シフタ回路に結合される。選択された位相状態の間の挿入損失変動は、全ての位相状態に渡り挿入損失を実質的に等化するためにより良好な挿入損失を有する位相状態に小さな損失（減衰レベル）を選択的に追加することにより、最小化される。任意で、「負」減衰レベルを利用可能にするために、バイアスが全ての位相状態に適用されて良い。それにより、調整前位相状態挿入損失を調整後挿入損失目標値の近くに移動させるために、必要に応じて可変減衰量を可能にする。幾つかの実施形態では、選択された位相状態の間変動は、減衰調整ではなく小さな利得調整量を選択的に適用することにより補正されて良い。利得調整は、「負」減衰調整と考えられる。さらに、利得及び減衰調整の組合せが、このような位相変動を補正するために使用されて良い。
【００１９】
同様に、デジタル方式で選択可能減衰器回路を含む電子システム内の位相変動を最小化するために、小さな選択可能な位相シフタが、減衰器回路に結合される。選択された減衰状態の間の位相変動は、全ての減衰状態に渡り位相を実質的に等化するために、位相シフトを示す減衰状態に小さな位相調整を選択的に追加することにより最小化される。
【００２０】
較正処理は、各位相及び／又は減衰状態を、所望の補償減衰又は位相レベル（幾つかの場合にはゼロであって良い）にマッピングする。微調整回路の補償位相及び減衰設定は、該設定を対応する位相状態又は減衰状態制御ワードにマッピングされた固定値として符号化するルックアップテーブル（例えば、読み出し専用メモリ、又は設定可能スイッチ若しくはフューズ、又はハードコード金属層）に格納されて良い。さらに、本発明の幾つかの実施形態は、微調整回路により生成される調整レベルをユーザにより選択可能にプログラムできるようにする。
【００２１】
本発明の実施形態は、状態選択ビット及び対応する内部相互作用の数が増大すると、特に深刻になる。
【００２２】
＜位相状態調整の実施形態＞
図３は、本発明の位相状態調整実施形態３００を示すブロック図である。図示の実施形態では、選択可能位相シフタ回路３０２は、ＲＦ入力信号ＲＦ＿Ｉｎに結合され、選択可能位相シフタ回路３０２の出力は微調整回路３０４に結合される。微調整回路３０４の出力は、選択可能減衰器回路３０６に結合される。選択可能減衰器回路３０６の出力は、ＲＦ＿Ｉｎ信号の変形された形式であるＲＦ＿Ｏｕｔである。
【００２３】
選択可能位相シフタ回路３０２及び選択可能減衰器回路３０６は、両方とも、入力／出力インタフェース３０８からの対応する制御ワード線に結合される。入力／出力インタフェース３０８は、良く知られたシリアル周辺機器インタフェース（serial  peripheral  interface：ＳＰＩ）シリアルバスにより、外部回路との通信のためのインタフェースとして機能する。位相状態及び減衰レベルは、このようなシリアルインタフェースを介して外部回路により指定されて良い。入力／出力インタフェース３０８は、選択可能位相シフタ回路３０２の位相状態及び選択可能減衰器回路３０６の減衰状態をそれぞれ選択するために、指定された状態及びレベルを、位相バス３１０及び減衰バス３１２により伝達される制御ワードに変換する。制御ワードの幅（例えば、４ビット、５ビット）は、設計選択事項である。
【００２４】
図示の実施形態は、調整制御回路３１４も含む。図示の調整制御回路３１４への１つの入力は、位相バス３１０からの位相制御ワードである。位相制御ワード値に応答して、調整制御回路３１４は、微調整回路３０４への対応するバス３１６上に、調整制御ワードを出力する。
【００２５】
図示の微調整回路３０４は、選択可能減衰レベルが非常に精細であることを除き、選択可能減衰器回路３０６と機能的に同様である。例えば、減衰レベルの８個の組合せ（ゼロ減衰を含む）のうちのいずれかの選択を可能にする３ビット調整制御ワードでは、図示の微調整回路３０４は、３つの精細減衰段階：０．０５ｄＢ、０．１ｄＢ、及び０．２ｄＢを有して良い（これに対し、標準的な選択可能減衰器回路３０６は、約０．５ｄＢの最小減衰値を有する）。異なる選択位相状態により引き起こされる挿入損失の差は、通常、約０．５ｄＢより小さい、標準的に全利用可能調整減衰の０．５ｄＢより小さい減衰分解能（つまり、減衰ステップサイズ）を有する、通常、このような微細な値の何らかの組合せにより補償できることが分かっている。
【００２６】
より具体的な例として、３ビット調整制御ワードは、以下の表１による０．０５ｄＢ、０．１ｄＢ、及び０．２ｄＢ減衰にマッピングされ制御できる。
［表１］
【００２７】
【表１】
2018520586.tif 000003
図４Ａは、微調整回路３０４の一実施形態のブロック図である。対応する選択線Ｓ１〜Ｓｎにより、対応する調整バス３１６により伝達されるｎビット調整制御ワードに結合される「ｎ」個の減衰調整段３３０ａ〜３３０ｎが示される。調整段３３０ａ〜３３０ｎの内部構造は、設計選択事項である。図４Ｂは、調整段３３０ａ〜３３０ｎとしての使用に適する「Ｌ−ｐａｄ」減衰器回路３３０の概略図である。Ｌ−ｐａｄ減衰器回路３３０は、基本的に、図示のように接続される２個の抵抗器Ｒ１及びＲ２により形成されるスイッチ可能（２状態）分圧回路で構成される。減衰器回路３３０をオン（減衰モード）にするために、対応する制御信号Ｓ及びＳバーの受信に応答して、バイパススイッチＳＷ１が開にされ、シャントスイッチＳＷ２が閉にされる。その結果、入力信号を入力ポートから出力ポートへ伝搬する従来の「Ｌ−ｐａｄ」型減衰器構成を生じる（ＳＷ１及びＳＷ２スイッチが減衰モード構成で示される）。減衰及び／又は反射量は、従来知られているように、Ｒ１及びＲ２の関数である。減衰回路３３０をオフにするために、バイパススイッチＳＷ１が閉にされ、シャントスイッチＳＷ２が開にされて、スイッチＳＷ１周りの入力信号を短絡し、減衰器回路３３０を効率的にバイパスする。
【００２８】
「Ｌ−ｐａｄ」型減衰器の減衰特性は当業者に良く知られている。「π」型減衰器又は「ブリッジＴ」型減衰器のような他の減衰器回路も使用できる。このような回路は、能動及び／又は受動コンポーネントの組合せを有して良い。小さな減衰量を導入する別の方法は、シャントスイッチ抵抗器を使用することである。図４Ｃは、調整段としての使用に適するシャントスイッチ抵抗減衰器回路３３２の概略図である。抵抗器Ｒ３及びスイッチＳＷ３は図示のように接続される。減衰器回路３３２をオン（減衰モード）にするために、シャントスイッチＳＷ３は、「オン」状態（例えば、バイナリ１）を有する対応する制御信号Ｓの受信に応答して、閉にされる。減衰器回路３３２をオフ（非減衰モード）にするために、シャントスイッチＳＷ３は、「オフ」状態（例えば、バイナリ０）を有する対応する制御信号Ｓの受信に応答して、開にされる。従来知られているように、減衰モードでは、シャントスイッチ抵抗器は、基本的に少量の入力信号を消散し及び反射することにより少量の減衰を導入し、それにより、小さなインピーダンス不整合を引き起こす。
【００２９】
図４Ａには調整段３３０ａ〜３３０ｎの２値加重セットが示されるが、線形「サーモメータ」型の減衰回路を含む他の加重方式が使用されて良い。さらに、調整段３３０ａ〜３３０ｎは直列接続として示されるが、「ｎ」個の並列減衰器のうちの１又は複数を入力及び出力ポートの間の直列に切り換えることにより、同等の機能が達成できる。位相状態が変化するときの挿入損失の変化を相殺するために、微調整減衰レベルをＲＦ信号経路の中に選択的に切り換えるために、種々のハイブリッド直列及び並列等価回路も使用できる。
【００３０】
代替の実施形態では、選択された位相状態の間変動は、減衰調整ではなく小さな利得調整量を選択的に適用することにより補正されて良い。利得調整は、「負」減衰調整と考えられる。さらに、利得（負減衰）及び減衰調整の組合せが、このような位相変動を補正するために使用されて良い。利得調整を使用する際の課題及びトレードオフは、妥当な線形性を維持する増幅段を設計すること、及びより大きな電流消費を扱うことを含む。にもかかわらず、利得（負減衰）調整の使用は、幾つかの用途に有用である場合がある。しかしながら、通常、正減衰（利得の形式で負減衰ではない）の利点は、線形性の劣化が少なく、電流消費が低いことである。
【００３１】
単純な形式では、調整制御回路３１４は、単に、位相バス３１０からの入力位相選択制御ワードを、微調整回路３０４への出力のための調整制御ワードにマッピングする。較正処理は、各位相状態を、所望の補償レベル（幾つかの場合にはゼロであって良い）にマッピングする。挿入損失微調整回路の補償減衰設定は、該設定を対応する位相状態制御ワードにマッピングされた固定値として符号化するルックアップテーブル（例えば、読み出し専用メモリ、又は設定可能スイッチ若しくはフューズ、又は金属層によりハードコードされた組合せ論理デコーダ）に格納されて良い。さらに、本発明の幾つかの実施形態は、挿入損失微調整回路により生成される減衰レベルをユーザにより選択可能にプログラムできるようにする。
【００３２】
図５は、調整制御回路３１４の一実施形態のブロック図である。対応する位相バス３１０により入力／出力インタフェース３０８から位相選択制御ワードを受信することに加えて、調整制御回路３１４は、同様に、直接制御バス３２０を介して位相選択制御ワードを受信し、モードセレクタ信号３２２（線又はバス）も受信する。位相バス３１０は、特定の位相選択制御ワードを、マッピングされた調整バス３１１により運ばれる対応する調整制御ワードにマッピングするルックアップテーブル３２４に結合される。直接制御バス３２０は、ユーザのシステムにより入力／出力インタフェース３０８を通じて、例えば動的にプログラムされる制御回路（図示しない）を通じて又は外部ルックアップテーブルから、提供された調整制御ワードを運ぶ。この特徴は、選択可能位相シフタ回路３０２（例えば、隣接回路、回路基板上のグランド面、等）への全ての影響を考慮するために、最終的なシステム構成で顧客が位相制御ワードを調整制御ワードにマッピングすることを望むとき、有用である。
【００３３】
モードセレクタ信号３２２は、バスマルチプレクサ３２６に結合され、ルックアップテーブル３２４からのマッピング調整バス３１１又は直接制御バス３２０を調整制御回路３１４の出力として選択する。幾つかの実施形態では、モードセレクタ信号３２２は、調整制御ワードへの位相制御ワードの「Ｎ」個のマッピングのうちの１つを選択するために、ルックアップテーブル３２４にも結合される（点線により示される）。したがって、例えば、ルックアップテーブル３２４が、入力制御ワードを出力制御ワードにマッピングする複数「ページ」（例えば８ページ）のメモリ位置を有する場合、外部プログラム制御の下で適切な幅（例えば３ビット）のモードセレクタ信号３２２により異なるページが選択され得る。この特徴は、種々の方法で有用である。例えば、選択可能位相シフタ回路３０２の動作は、特定の環境因子（例えば、周囲又は回路温度、集積回路製造処理変動）、システム構成、又は入力信号周波数に依存して変化することが知られていて良く、相応して、調整制御ワードへの入力位相選択制御ワードの異なるマッピングは、異なる時に又は異なる条件下で適切であって良い。
【００３４】
＜調整制御ワードへの位相状態制御ワードのマッピング＞
調整制御ワードへの位相制御ワードのマッピングは、同じ目的で、幾つかの方法により行われて良い。全ての位相状態に渡る挿入損失を実質的に等化するために、より良好な挿入損失を有する位相状態が、より粗悪な挿入損失を有する位相状態より多く減衰されるように、各位相状態の減衰量を選択する。
【００３５】
例えば、図６は、位相状態選択に応じた挿入損失変動を示す位相シフタ回路の１つのシミュレーションの第１グラフ６０２（調整前）、及び選択減衰量が適用された後の位相状態選択に応じた挿入損失の第２グラフ６０４（調整後）を示す。位相状態３（ＰＳ３）の調整前挿入損失量は、位相状態１５（ＰＳ１５）の挿入損失より少ない。したがって、調整前グラフ６０２を調整後グラフ６０４のように「平坦化」するために、位相状態３には位相状態１５より多くの減衰が必要である。
【００３６】
通常、各位相状態選択のために必要な減衰量は、変化し、コンポーネント製造の較正段階中に経験的に決定される場合がある。例えば、本発明の集積回路の実施形態は、各位相状態における調整制御ワードの異なる値に対してテストでき、所望の挿入損失レベルを最も良好に達成する各位相状態における調整制御ワードの値が選択されルックアップテーブルに格納されて良い。テストの１つの効率的な方法は、バイナリ検索パターン（区間二分探索アルゴリズム）を適用することである。３ビット調整ワードでは、８個の可能な状態の中で最良の減衰レベルを見付けるために、中央値から開始して３回のテストが行われるだけで良い。例えば、先の表１を参照すると、テストは、バイナリ調整値「１００」（本例では０．２ｄＢに対応する）から開始し、現在値（例えば「１００」）と次の適用可能値範囲との間の差の約半分だけテーブルの値を上へ又は下へ移動する。したがって、「１００」の調整値が小さすぎる減衰である場合、「１００」と「１１１」との間の半分の値（つまり「１１０」）をテストし、「１００」が大きすぎる調整である場合、「１１０」と「１００」との間の半分の値（つまり「１０１」）をテストする。
【００３７】
留意すべきことに、幾つかの調整前位相状態の挿入損失は、所望の目標値（例えば、図示の例では約−５．８ｄＢ）より悪くて良い。したがって、幾つかの実施形態では、このような位相状態の挿入損失を減少させる「負」減衰を適用することが望ましい場合がある。これは、「中程度の」減衰量（つまりバイアス）を全ての位相状態に適用する調整制御ワードビットの組合せを選択することにより達成できる。それにより、調整前位相状態挿入損失を調整後挿入損失目標値のより近くに移動させるために、必要に応じて可変減衰量を可能にする。例えば、先の表１を参照すると、全ての位相状態は、最初に０．１５ｄＢだけ減衰されて良い（本例では調整制御ワード値０１１）。したがって、各位相状態において生じる挿入損失を目標値のより近くに調整するために、より多くの又は少ない減衰が適用され得る。代替で、上記のように、小さな利得調整量が同じ目的のために使用されて良い。
【００３８】
図７Ａは、挿入損失を等化するために必要な位相状態当たりの補償の程度を示す、位相状態選択及び頻度に応じた、調整前の減衰変動を示す位相シフタ回路の特定のシミュレーションのグラフセットである（グラフの線７０２ａ、７０４ａ、７０６ａ）。本図では（及び以下の図７Ｂでは）、挿入損失（単位ｄＢ）は、本例において２．８度〜８７．２度の個々の位相シフトに対応する、個々の位相状態０〜３１に対してプロットされる。図７Ａの個々の周波数を表す各グラフの線７０２ａ、７０４ａ、７０６ａは、位相状態をルックアップテーブル３２４の中の複数「ページ」の調整制御ワードにマッピングする１つの理由を説明する。つまり、異なる量の調整減衰量が、移動状態と同様に頻度に応じて適用され得る。
【００３９】
図７Ｂは、挿入損失を等化するために適用される位相状態当たりの補償の程度を示す、位相状態選択及び頻度に応じた、調整後の減衰変動を示す、図７Ａと同じ位相シフタ回路のシミュレーションのグラフセットである（グラフの線７０２ｂ、７０４ｂ、７０６ｂ）。より低い挿入損失を有する位相状態は、位相状態に渡る挿入損失応答を平坦化するために減衰される。本例では全ての位相状態に渡る挿入損失変動は除去されないが、このような変動は、図７Ａに示す調整前グラフの線７０２ａ、７０４ａ、７０６ａと比較して実質的に減少されている。例えば、２．５ＧＨｚでは、全ての位相状態に渡る挿入損失は約±０．０５ｄＢの範囲内である。
【００４０】
＜代替の実施形態、及び一般的調整の実施形態＞
本発明の概念は、多数の代替実施形態に拡張する。例えば、図３を参照すると、直列接続された選択可能位相シフタ回路３０２、微調整回路３０４、及び選択可能減衰器回路３０６は、任意の直列順序に再構成され得る。さらに、挿入損失変動を補償するために位相状態に応じて微調整を追加する概念は、微調整回路３０４の機能的に同等の並列回路の実施形態に拡張する。
【００４１】
さらに、上述の実施形態は、位相状態に応じた挿入損失変動を相殺するために、信号減衰を調整することに焦点を当てた。しかしながら、同じ概念は、減衰状態に応じて、位相変動を相殺するために信号位相を調整することに適用され得る。つまり、選択可能減衰器回路３０６に適用される減衰状態変化は、結果として、種々の減衰器回路コンポーネントがＲＦ＿ＩｎからＲＦ＿Ｏｕｔへの信号経路の中に及び外に切り換えられるとき、入力信号の位相を変化させる。したがって、減衰状態にマッピングされた調整制御ワード値により制御される精細な位相調整回路は、このような位相変動を相殺するために信号経路の中に選択的に切り換えられて良い。精細な位相調整回路は、正及び／又は負位相シフトを可能にできる。このような精細な位相調整回路は、設計選択事項であり、例えば、１又は複数の誘導性コンポーネントＬ、容量性コンポーネントＣ、又は能動及び受動コンポーネントの組合せを有する回路（例えば、米国特許第９０２４７００Ｂ２号、名称「Method  and  Apparatus  for  Use  in  Digitally  Tuning  a  Capacitor  in  an  Integrated  Circuit  Device」、２０１５年５月５日発行、本発明の代理人に割り当てられ、該米国特許の教示は参照によりここに組み込まれる、に記載のデジタル可調キャパシタ回路）を含む組合せＬＣ位相シフタを有して良い。通常、減衰微調整回路３０４について上述した方法と同様に、各減衰状態選択のために必要な位相調整量は、変化し、コンポーネント製造の較正段階中に経験的に決定される場合がある。しかしながら、位相調整量に対する微細な制御を有することは有用であり、通常、調整分解能の最少量（つまり、位相ステップサイズ）は、約２．８度位相以下であるべきである。
【００４２】
図８は、本発明のより一般的な位相及び減衰調整実施形態を示すブロック図である。第１選択可能コンポーネント８０２は、選択可能位相シフタ回路又は選択可能減衰回路であって良く、ＲＦ＿ＩｎとＲＦ＿Ｏｕｔとの間のＲＦ信号経路に結合される。第２選択可能コンポーネント８０６も、選択可能減衰器回路又は選択可能位相シフタ回路であって良く（しかし、第１選択可能コンポーネント８０２と反対の機能）、ＲＦ信号経路に結合される。微調整回路８０４も、ＲＦ信号経路に結合される。これらの３つのコンポーネント（８０２、８０４、８０６）は、任意の直列順序に再配置でき、機能的に同等な並列回路の実施形態が代用されて良い。
【００４３】
図３のように、入力／出力インタフェース３０８は、外部回路との通信のためのインタフェースとして機能する。入力／出力インタフェース３０８からのバス８１０、８２０は、状態制御ワードを第１選択可能コンポーネント８０２及び第２選択可能コンポーネント８０６に伝達する（それぞれに見合った、位相又は減衰状態制御ワード）。同様に、入力／出力インタフェース３０８からのバス８１４は、位相及び／又は減衰状態制御ワードを、調整制御回路３１４’に伝達する。調整制御回路３１４’も、モードセレクタ信号線又はバス３２２に結合される。任意で、直接制御バス３２０は、入力／出力インタフェースブロック３０８から調整制御回路３１４’へと結合されて良い。代替の実施形態では、これら３つのコンポーネント（８０２、８０４、８０６）は、完全に別個の制御インタフェースを通じて制御され、制御の観点からソフトウェアで「結び付けられる」だけで良い。したがって、別個に制御されるが同じ結果を与える複数の回路ブロックが存在して良い。
【００４４】
図３の調整制御回路３１４と同様に、調整制御回路３１４’は、特定の位相選択制御ワード及び／又は減衰選択制御ワードを対応する調整制御ワードにマッピングするルックアップテーブルを含む。存在する場合、直接制御バス３２０は、入力／出力インタフェース３０８を通じてユーザのシステムにより提供される調整制御ワードを伝達する。モードセレクタ信号線又はバス３２２は、調整制御回路３１４’がマッピングされた調整制御ワード又は直接調整制御ワードを出力するか否かを制御する。
【００４５】
微調整回路８０４は、調整制御ワード（マッピングされた又は直接）を受信し、減衰及び／又は位相の微調整を位相状態及び／又は減衰状態に応じて提供する。１つの回路ブロックとして示されるが、微調整回路８０４は、別個の減衰調整及び位相調整回路として実装されて良い。調整制御回路３１４’は、結合された減衰／位相微調整回路８０４に又は別個の減衰調整及び位相調整回路に結合される単一のルックアップテーブルと共に実装されて良い。代替で、調整制御回路３１４’は、減衰及び位相を調整制御ワードにマッピングする別個のルックアップテーブルと共に実装されて良い。該別個のルックアップテーブルは、結合された減衰／位相微調整回路８０４に又は別個の減衰調整及び位相調整回路に結合されて良い。
【００４６】
上述の他の実施形態におけるように、位相制御ワードの調整制御ワードへのマッピングは、全ての位相状態に渡る挿入損失を実質的に等化することを目的として、各位相状態の減衰量を選択するために、幾つかの方法で行われて良い。同様に、減衰制御ワードの調整制御ワードへのマッピングは、全ての減衰状態に渡る位相を実質的に等化することを目的として、各減衰状態の位相調整量を選択するために、幾つかの方法で行われて良い。
【００４７】
幾つかの実施形態では、何らかの理由で微調整により補正できない（例えば、範囲外）望ましくない状態を「スキップ」する必要があって良い。したがって、このような状態については、微調整回路３０４による調整が行われない。これは、例えば、調整制御回路３１４の中のルックアップテーブル３２４の適切なプログラミングにより、又はマッピング状態ロジックを調整制御回路３１４に追加することにより、達成されて良い。そうする際に、特定の位相又は減衰状態は、（それぞれ）減衰又は位相の相対的に増大したシフトを有し得る。しかしながら、挿入損失又は位相平坦性と共に、アプリケーションにとって最重要であり得る位相単調性が維持され得る。調整回路に埋め込まれるこのような特徴は、動作を自動化し、マクロシステムレベルでの外部ユーザプログラミングを回避する。追加の複雑性は、調整制御回路３１４が他の状態に影響する際の役割を果たし得ることである。
【００４８】
＜方法＞
本発明の別の態様は、選択可能位相シフタ回路において位相状態が変化するとき、挿入損失変動を補償する方法を含み、該方法は、全ての位相状態に渡り挿入損失を実質的に等化するために、より良好な挿入損失を有する位相状態がより粗悪な挿入損失を有する位相状態より多く減衰されるように、各々の位相状態について、減衰量を選択し適用するステップ、を含む。
【００４９】
上述の方法の別の態様は、全ての位相状態に基本減衰レベルを適用し、調整前位相状態挿入損失を調整後挿入損失に目標値に近付けるために、位相状態毎に調整減衰量を選択するステップ、を含む。
【００５０】
本発明の更に別の態様は、選択可能減衰器回路において減衰状態が変化するとき、位相変動を補償する方法を含み、該方法は、全ての減衰状態に渡り位相シフトを実質的に等化するために、各減衰状態について位相シフト量を選択し適用するステップ、を含む。
【００５１】
上述の方法の追加の態様は、適用位相及び／又は減衰制御ワードを調整制御ワードにマッピングするルックアップテーブルに調整値を格納するステップと、適用ＲＦ信号に位相及び／又は減衰の微調整を提供する微調整回路に、マッピングされた調整制御ワード又は外部供給された調整制御ワードを選択可能に出力するステップと、各位相状態又は減衰状態について減衰又は位相シフトレベルを実験的に比較することにより、格納するための調整制御ワードを選択し、該状態について、所望の挿入損失又は位相レベルを最も良好に達成する調整制御ワードを格納するステップと、バイナリ探索パターンにより調整制御ワードを選択しマッピングするステップと、を含む。
【００５２】
＜実装＞
当業者に直ちに明らかなように、本発明の種々の実施形態は、広範な仕様を満たすように実装できる。したがって、適切な成分値の選択は、設計選択事項である。本発明の種々の実施形態は、（ＭＯＳＦＥＴ及びＩＧＦＥＴ構造を含むがこれらに限定されない）任意の適切な集積回路（ＩＣ）技術で、又はハイブリッド若しくは個別回路形式で、実装されて良い。集積回路の実施形態は、標準的なバルクシリコン、ＳＯＩ（silicon−on−insulator）、ＳＯＳ（silicon−on−sapphire）、ＧａＡｓ  ｐＨＥＭＴ、及びＭＥＳＦＥＴプロセスを含むがこれらに限定されない、任意の適切な基板及びプロセスを用いて製造されて良い。特定の仕様及び／又は実装技術（例えば、ＮＭＯＳ、ＰＭＯＳ又はＣＭＯＳ）に依存して、電位が調整され又は電圧極性が反転されて良い。コンポーネント電圧、電流、及び電力処理能力は、装置サイズを調整することにより、より大きな電圧を扱うためにコンポーネントを「積み上げる」ことにより、及び／又はより大きな電流を扱うために複数のコンポーネントを並列に使用することにより、必要に応じて適応されて良い。
【００５３】
本発明の多くの実施形態が記載された。本発明の精神及び範囲から逸脱することなく種々の変更を行うことができることが理解されるだろう。例えば、上述のステップ及び回路のうちの幾つかは、独立した順序であって良く、したがって、記載されたものと異なる順序で実行され又は配置され得る。以上に特定した方法に関して記載した種々の動作は、反復的に、直列又は並列的に実行することができる。理解されるべきことに、前述の記載は説明を目的としており、本発明の範囲を制限しない。本発明の範囲は、以下の請求の範囲により定められ、及び他の実施形態が請求の範囲に含まれる。
【図１】
2018520586.tif 000004
【図２】
2018520586.tif 000005
【図３】
2018520586.tif 000006
【図４Ａ】
2018520586.tif 000007
【図４Ｂ】
2018520586.tif 000008
【図４Ｃ】
2018520586.tif 000009
【図５】
2018520586.tif 000010
【図６】
2018520586.tif 000011
【図７Ａ】
2018520586.tif 000012
【図７Ｂ】
2018520586.tif 000013
【図８】
2018520586.tif 000014
【国際調査報告】
2018520586.tif 000015
2018520586.tif 000016
2018520586.tif 000017
2018520586.tif 000018
2018520586.tif 000019
2018520586.tif 000020